【手続補正書】
【提出日】平成18年9月27日(2006.9.27)
【手続補正１】
【補正対象書類名】明細書
【補正対象項目名】発明の名称
【補正方法】変更
【補正の内容】
【発明の名称】遠隔操作装置及び方法、並びに記憶媒体
【手続補正２】
【補正対象書類名】明細書
【補正対象項目名】特許請求の範囲
【補正方法】変更
【補正の内容】
【特許請求の範囲】
【請求項１】  外部からの接続に対してファイアウォールにより守られたネットワーク内の操作対象装置をハイパーテキストトランスファープロトコル通信を用いて遠隔操作する遠隔操作装置であって、
操作対象装置からハイパーテキストトランスファープロトコル通信により送信されてくるポストコマンドを受信する受信手段と、
入力された操作対象装置を遠隔操作するための操作指示情報を記憶する記憶手段と、
前記ネットワーク内の操作対象装置からの遠隔操作装置へのポストコマンドの送信により外部からの前記ファイアウォールの通過が認められると、前記受信手段で受信したポストコマンドに対して、前記記憶手段に記憶された操作指示情報に基づく応答をハイパーテキストトランスファープロトコル通信を用いて行う応答手段と、
を有することを特徴とする遠隔操作装置。
【請求項２】  ブラウザを介したユーザの指示に応じて、ポストコマンドに対する応答である操作指示情報を作成する作成手段を有し、前記記憶手段は前記作成手段により作成された操作指示情報を記憶することを特徴とする請求項１に記載の遠隔操作装置。
【請求項３】  前記受信手段は、前記操作対象装置から定期的に送信されてくるポストコマンドを受信することを特徴とし、前記応答手段は、前記定期的に送信されてくるポストコマンドに応答を行うことを特徴とする請求項１又は２に記載の遠隔操作装置。
【請求項４】  前記応答手段は、前記ポストコマンドに、前記記憶手段に記憶された操作指示情報を付加し、応答を行うことを特徴とする請求項１乃至３のいずれか１項に記載の遠隔操作装置。
【請求項５】  前記ポストコマンドには、前記操作対象装置のデバイス状態情報が含まれることを特徴とする請求項１乃至４のいずれか１項に記載の遠隔操作装置。
【請求項６】  外部からの接続に対してファイアウォールにより守られたネットワーク内の操作対象装置をハイパーテキストトランスファープロトコル通信を用いて遠隔操作する遠隔操作装置であって、
操作対象装置からハイパーテキストトランスファープロトコル通信により送信されてくるコマンドを受信する受信手段と、
入力された操作対象装置を遠隔操作するための操作指示情報を記憶する記憶手段と、
前記ネットワーク内の操作対象装置からの遠隔操作装置へのコマンドの送信により外部からの前記ファイアウォールの通過が認められると、前記受信手段で受信したコマンドに対して、前記記憶手段に記憶された操作指示情報に基づく応答をハイパーテキストトランスファープロトコル通信を用いて行う応答手段と、
を有することを特徴とする遠隔操作装置。
【請求項７】  外部からの接続に対してファイアウォールにより守られたネットワーク内の操作対象装置をハイパーテキストトランスファープロトコル通信を用いて遠隔操作する遠隔操作方法であって、
操作対象装置からハイパーテキストトランスファープロトコル通信により送信されてくるポストコマンドを受信する受信ステップと、
入力された操作対象装置を遠隔操作するための操作指示情報を記憶する記憶ステップと、
前記ネットワーク内の操作対象装置からの遠隔操作装置へのポストコマンドの送信により外部からの前記ファイアウォールの通過が認められると、前記受信ステップで受信したポストコマンドに対して、前記記憶ステップで記憶された操作指示情報に基づく応答をハイパーテキストトランスファープロトコル通信を用いて行う応答ステップと、
を有することを特徴とする遠隔操作方法。
【請求項８】  ブラウザを介したユーザの指示に応じて、ポストコマンドに対する応答である操作指示情報を作成する作成ステップを有し、前記記憶ステップは前記作成ステップで作成された操作指示情報を記憶することを特徴とする請求項７に記載の遠隔操作方法。
【請求項９】  前記受信ステップは、前記操作対象装置から定期的に送信されてくるポストコマンドを受信することを特徴とし、前記応答ステップは、前記定期的に送信されてくるポストコマンドに応答を行うことを特徴とする請求項７又は８に記載の遠隔操作方法。
【請求項１０】  前記応答ステップは、前記ポストコマンドに、前記記憶ステップで記憶された操作指示情報を付加し、応答を行うことを特徴とする請求項７乃至９のいずれか１項に記載の遠隔操作方法。
【請求項１１】  前記ポストコマンドには、前記操作対象装置のデバイス状態情報が含まれることを特徴とする請求項７乃至１０のいずれか１項に記載の遠隔操作方法。
【請求項１２】  外部からの接続に対してファイアウォールにより守られたネットワーク内の操作対象装置をハイパーテキストトランスファープロトコル通信を用いて遠隔操作する遠隔操作方法であって、
操作対象装置からハイパーテキストトランスファープロトコル通信により送信されてくるコマンドを受信する受信ステップと、
入力された操作対象装置を遠隔操作するための操作指示情報を記憶する記憶ステップと、
前記ネットワーク内の操作対象装置からの遠隔操作装置へのコマンドの送信により外部からの前記ファイアウォールの通過が認められると、前記受信ステップで受信したコマンドに対して、前記記憶ステップで記憶された操作指示情報に基づく応答をハイパーテキストトランスファープロトコル通信を用いて行う応答ステップと、
を有することを特徴とする遠隔操作方法。
【請求項１３】  請求項７乃至１２のいずれか１項に記載の遠隔操作方法における各ステップをコンピュータに実行させるためのプログラムを格納したことを特徴とするコンピュータ可読の記憶媒体。
【手続補正３】
【補正対象書類名】明細書
【補正対象項目名】０００１
【補正方法】変更
【補正の内容】
【０００１】
【発明の属する技術分野】
本発明は、操作対象装置を遠隔で操作する遠隔操作装置及び方法、並びに記憶媒体に関し、特に、ネットワークを介して操作対象装置と接続される遠隔操作装置及び方法、並びに記憶媒体に関する。
【手続補正４】
【補正対象書類名】明細書
【補正対象項目名】０００３
【補正方法】変更
【補正の内容】
【０００３】
このように、インターネッ卜の標準プロトコルＴＣＰ／ＩＰを用いて、遠隔地の機器と操作端末とが遠隔操作により情報交換するシステムは、インターネットを介して世界中から遠隔操作することを可能とする。とりわけ、ＷＷＷシステムで標準として用いられている通信プロトコルであるハイパーテキストランスファープロトコル(プロトコルＴＣＰ／ＩＰ上のプロトコル)（以下「ＨＴＴＰ」という）を採用すると、ファイアウォールで守られているローカルネットワークの内部からでも、ＷＷＷブラウザによるＷＷＷのブラウジングが可能になっていれば、遠隔操作が可能となる。
【手続補正５】
【補正対象書類名】明細書
【補正対象項目名】０００８
【補正方法】変更
【補正の内容】
【０００８】
本発明は、操作対象装置がファイアウォール内部に設置されているときでも、操作対象装置との間で通信路を確保することができる遠隔操作装置及び方法、並びに記憶媒体を提供することを目的にしている。
【手続補正６】
【補正対象書類名】明細書
【補正対象項目名】０００９
【補正方法】変更
【補正の内容】
【０００９】
【課題を解決するための手段】
上記目的を達成するために、本発明の請求項１記載の遠隔操作装置は、外部からの接続に対してファイアウォールにより守られたネットワーク内の操作対象装置をハイパーテキストトランスファープロトコル通信を用いて遠隔操作する遠隔操作装置であって、操作対象装置からハイパーテキストトランスファープロトコル通信により送信されてくるポストコマンドを受信する受信手段と、入力された操作対象装置を遠隔操作するための操作指示情報を記憶する記憶手段と、前記ネットワーク内の操作対象装置からの遠隔操作装置へのポストコマンドの送信により外部からの前記ファイアウォールの通過が認められると、前記受信手段で受信したポストコマンドに対して、前記記憶手段に記憶された操作指示情報に基づく応答をハイパーテキストトランスファープロトコル通信を用いて行う応答手段と、を有することを特徴とする。
【手続補正７】
【補正対象書類名】明細書
【補正対象項目名】００１０
【補正方法】変更
【補正の内容】
【００１０】
請求項２に記載の遠隔操作装置は、請求項１に記載の遠隔操作装置において、ブラウザを介したユーザの指示に応じて、ポストコマンドに対する応答である操作指示情報を作成する作成手段を有し、前記記憶手段は前記作成手段により作成された操作指示情報を記憶することを特徴とする。
【手続補正８】
【補正対象書類名】明細書
【補正対象項目名】００１１
【補正方法】変更
【補正の内容】
【００１１】
請求項３に記載の遠隔操作装置は、請求項１又は２に記載の遠隔操作装置において、前記受信手段は、前記操作対象装置から定期的に送信されてくるポストコマンドを受信することを特徴とし、前記応答手段は、前記定期的に送信されてくるポストコマンドに応答を行うことを特徴とする。
【手続補正９】
【補正対象書類名】明細書
【補正対象項目名】００１２
【補正方法】変更
【補正の内容】
【００１２】
請求項４に記載の遠隔操作装置は、請求項１乃至３のいずれか１項に記載の遠隔操作装置において、前記応答手段は、前記ポストコマンドに、前記記憶手段に記憶された操作指示情報を付加し、応答を行うことを特徴とする。
【手続補正１０】
【補正対象書類名】明細書
【補正対象項目名】００１３
【補正方法】変更
【補正の内容】
【００１３】
請求項５に記載の遠隔操作装置は、請求項１乃至４のいずれか１項に記載の遠隔操作装置において、前記ポストコマンドには、前記操作対象装置のデバイス状態情報が含まれることを特徴とする。
【手続補正１１】
【補正対象書類名】明細書
【補正対象項目名】００１４
【補正方法】変更
【補正の内容】
【００１４】
上記目的を達成するために、本発明の請求項６に記載の遠隔操作装置は、外部からの接続に対してファイアウォールにより守られたネットワーク内の操作対象装置をハイパーテキストトランスファープロトコル通信を用いて遠隔操作する遠隔操作装置であって、
操作対象装置からハイパーテキストトランスファープロトコル通信により送信されてくるコマンドを受信する受信手段と、入力された操作対象装置を遠隔操作するための操作指示情報を記憶する記憶手段と、前記ネットワーク内の操作対象装置からの遠隔操作装置へのコマンドの送信により外部からの前記ファイアウォールの通過が認められると、前記受信手段で受信したコマンドに対して、前記記憶手段に記憶された操作指示情報に基づく応答をハイパーテキストトランスファープロトコル通信を用いて行う応答手段と、を有することを特徴とする。
【手続補正１２】
【補正対象書類名】明細書
【補正対象項目名】００１５
【補正方法】変更
【補正の内容】
【００１５】
上記目的を達成するために、本発明の請求項７に記載の遠隔操作方法は、外部からの接続に対してファイアウォールにより守られたネットワーク内の操作対象装置をハイパーテキストトランスファープロトコル通信を用いて遠隔操作する遠隔操作方法であって、操作対象装置からハイパーテキストトランスファープロトコル通信により送信されてくるポストコマンドを受信する受信ステップと、入力された操作対象装置を遠隔操作するための操作指示情報を記憶する記憶ステップと、前記ネットワーク内の操作対象装置からの遠隔操作装置へのポストコマンドの送信により外部からの前記ファイアウォールの通過が認められると、前記受信ステップで受信したポストコマンドに対して、前記記憶ステップで記憶された操作指示情報に基づく応答をハイパーテキストトランスファープロトコル通信を用いて行う応答ステップと、を有することを特徴とする。
【手続補正１３】
【補正対象書類名】明細書
【補正対象項目名】００１６
【補正方法】変更
【補正の内容】
【００１６】
請求項８に記載の遠隔操作方法は、請求項７に記載の遠隔操作方法において、ブラウザを介したユーザの指示に応じて、ポストコマンドに対する応答である操作指示情報を作成する作成ステップを有し、前記記憶ステップは前記作成ステップで作成された操作指示情報を記憶することを特徴とする。
【手続補正１４】
【補正対象書類名】明細書
【補正対象項目名】００１７
【補正方法】変更
【補正の内容】
【００１７】
請求項９に記載の遠隔操作方法は、請求項７又は８に記載の遠隔操作方法において、前記受信ステップは、前記操作対象装置から定期的に送信されてくるポストコマンドを受信することを特徴とし、前記応答ステップは、前記定期的に送信されてくるポストコマンドに応答を行うことを特徴とする。
【手続補正１５】
【補正対象書類名】明細書
【補正対象項目名】００１８
【補正方法】変更
【補正の内容】
【００１８】
請求項１０に記載の遠隔操作方法は、請求項７乃至９のいずれか１項に記載の遠隔操作方法において、前記応答ステップは、前記ポストコマンドに、前記記憶ステップで記憶された操作指示情報を付加し、応答を行うことを特徴とする。
【手続補正１６】
【補正対象書類名】明細書
【補正対象項目名】００１９
【補正方法】変更
【補正の内容】
【００１９】
請求項１１に記載の遠隔操作方法は、請求項７乃至１０のいずれか１項に記載の遠隔操作方法において、前記ポストコマンドには、前記操作対象装置のデバイス状態情報が含まれることを特徴とする。
【手続補正１７】
【補正対象書類名】明細書
【補正対象項目名】００２０
【補正方法】変更
【補正の内容】
【００２０】
上記目的を達成するために、本発明の請求項１２に記載の遠隔操作方法は、外部からの接続に対してファイアウォールにより守られたネットワーク内の操作対象装置をハイパーテキストトランスファープロトコル通信を用いて遠隔操作する遠隔操作方法であって、操作対象装置からハイパーテキストトランスファープロトコル通信により送信されてくるコマンドを受信する受信ステップと、入力された操作対象装置を遠隔操作するための操作指示情報を記憶する記憶ステップと、前記ネットワーク内の操作対象装置からの遠隔操作装置へのコマンドの送信により外部からの前記ファイアウォールの通過が認められると、前記受信ステップで受信したコマンドに対して、前記記憶ステップで記憶された操作指示情報に基づく応答をハイパーテキストトランスファープロトコル通信を用いて行う応答ステップと、を有することを特徴とする。
【手続補正１８】
【補正対象書類名】明細書
【補正対象項目名】００２１
【補正方法】変更
【補正の内容】
【００２１】
上記目的を達成するために、本発明の請求項１３に記載のコンピュータ可読の記憶媒体は、請求項７乃至１２のいずれか１項に記載の遠隔操作方法における各ステップをコンピュータに実行させるためのプログラムを格納したことを特徴とする。
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３４
【補正方法】変更
【補正の内容】
【００３４】
図１において、遠隔操作システム１は、インターネット１００と、ファイアウォール（ＦＷ）１１１と、ＬＡＮ１１０と、遠隔被操作装置１２０（操作対象装置）と、遠隔操作端末１３０（操作対象装置）とを備える。
【手続補正３０】
【補正対象書類名】明細書
【補正対象項目名】００４２
【補正方法】変更
【補正の内容】
【００４２】
先ず、コントローラ１２１の状態を入力する機器操作・データ収集プログラム１５２により、照明１２２の点灯状態とブラインド１２３の開閉位置の状態情報を収集した後（ステップＳ２０１）、状態情報に応じた送信情報をＨＴＴＰ（ハイパーテキストトランスファープロトコル）のＰＯＳＴコマンド（ポストコマンド）を用いて作成する（ステップＳ２０２）。
【手続補正３１】
【補正対象書類名】明細書
【補正対象項目名】０１００
【補正方法】変更
【補正の内容】
【０１００】
【発明の効果】
以上詳細に説明したように、本発明によれば、ネットワーク内の操作対象装置からの遠隔操作装置へのポストコマンドの送信により外部からのファイアウォールの通過が認められると、受信したポストコマンドに対して、記憶された操作指示情報に基づく応答をハイパーテキストトランスファープロトコル通信を用いて行うので、操作対象装置がファイアウォール内部に設置されているときでも、操作対象装置との間で通信路を確保することができる。
【手続補正３２】
【補正対象書類名】明細書
【補正対象項目名】０１０１
【補正方法】削除
【補正の内容】
【手続補正３３】
【補正対象書類名】明細書
【補正対象項目名】０１０２
【補正方法】削除
【補正の内容】
【手続補正３４】
【補正対象書類名】明細書
【補正対象項目名】０１０３
【補正方法】削除
【補正の内容】
【手続補正３５】
【補正対象書類名】明細書
【補正対象項目名】０１０４
【補正方法】削除
【補正の内容】
【手続補正３６】
【補正対象書類名】明細書
【補正対象項目名】０１０５
【補正方法】削除
【補正の内容】
【手続補正３７】
【補正対象書類名】明細書
【補正対象項目名】０１０６
【補正方法】削除
【補正の内容】
【手続補正３８】
【補正対象書類名】明細書
【補正対象項目名】０１０７
【補正方法】削除
【補正の内容】
【手続補正３９】
【補正対象書類名】明細書
【補正対象項目名】０１０８
【補正方法】削除
【補正の内容】
【手続補正４０】
【補正対象書類名】明細書
【補正対象項目名】０１０９
【補正方法】削除
【補正の内容】
【手続補正４１】
【補正対象書類名】明細書
【補正対象項目名】０１１０
【補正方法】削除
【補正の内容】